(57)【特許請求の範囲】
【請求項１】
即席麺を収容する容器本体と蓋体とからなる即席麺用容器において、
容器本体の内部に麺を掬うための麺掬いを収容し、麺掬いは、柄部の下端に椀部を形成するとともに、椀部の上下一対の底壁の間に可動底壁を底壁に沿って摺動自在に設け、底壁と可動底壁とに上下に貫通する汁排出口を形成し、椀部の汁排出口を開閉可能に構成し、４枚の柄板の左右側縁を折曲可能に接続して柄部をパンタグラフ状に変形可能に形成し、柄部の変形によって可動底壁を底壁に沿って摺動させることで椀部の汁排出口を開閉可能に構成したことを特徴とする即席麺用容器。
【請求項２】
前記麺掬いは、柄部の４枚の柄板によって形成される内側中空部に板状のストッパーを収容したことを特徴とする請求項１に記載の即席麺用容器。
【発明の詳細な説明】
【技術分野】
【０００１】
本発明は、即席麺を収容する容器本体と蓋体とからなる即席麺用容器に関するものである。
【背景技術】
【０００２】
従来より、即席麺は、特許文献１に開示されているように、容器本体とその蓋体とから構成した即席麺用容器に収容されて広く流通している。
【０００３】
この即席麺は、蓋体を開放し容器本体に収容した乾燥麺や乾燥具にお湯を注ぐことにより簡単に調理することができるとともに直ぐに食することができるようになっている。
【０００４】
【特許文献１】特開２００７−１１２４５５号公報
【発明の開示】
【発明が解決しようとする課題】
【０００５】
ところが、上記従来の即席麺にあっては、流通過程において即席麺用容器の内部に収容した乾燥麺や乾燥具が振動により部分的に細かく砕けてしまうことがあり、この細かく砕けた麺や具が即席麺を食した際に汁とともに容器本体の底部に残ってしまっていた。
【０００６】
そのため、汁を除いて細かい麺や具だけを食することが困難であり、また、残った麺や具を汁とともに排水口に廃棄すると、麺や具が排水口を詰まらせたり、詰まった麺や具の腐敗により悪臭を発生させるおそれがあった。
【課題を解決するための手段】
【０００７】
そこで、請求項１に係る本発明では、即席麺を収容する容器本体と蓋体とからなる即席麺用容器において、容器本体の内部に麺を掬うための麺掬いを収容し、麺掬いは、柄部の下端に椀部を形成することにした。
【０００８】
また、請求項１に係る本発明では、椀部の上下一対の底壁の間に可動底壁を底壁に沿って摺動自在に設け、底壁と可動底壁とに上下に貫通する汁排出口を形成し、椀部の汁排出口を開閉可能に構成し、４枚の柄板の左右側縁を折曲可能に接続して柄部をパンタグラフ状に変形可能に形成し、柄部の変形によって可動底壁を底壁に沿って摺動させることで椀部の汁排出口を開閉可能に構成することにした。
【０００９】
また、請求項２に係る本発明では、前記請求項１に係る本発明において、前記麺掬いは、柄部の４枚の柄板によって形成される内側中空部に板状のストッパーを収容することにした。
【発明の効果】
【００１０】
そして、本発明では、以下に記載する効果を奏する。
【００１１】
すなわち、本発明では、即席麺を収容する容器本体と蓋体とからなる即席麺用容器において、容器本体の内部に麺を掬うための麺掬いを収容し、麺掬いは、柄部の下端に椀部を形成するとともに、椀部に貫通状の汁排出口を形成しているために、即席麺を食した際に容器本体の底部に残る細かな麺や具だけを掬い取ることができ、汁を除いて細かい麺や具だけを容易に食することができる。
【００１２】
特に、麺掬いの椀部の汁排出口を開閉可能に構成した場合には、好みに応じて汁排出口を開閉することで汁の量を調節することができるようになる。
【００１３】
また、麺掬いの柄部を変形可能に形成するとともに、柄部の変形によって椀部の汁排出口を開閉可能に構成した場合には、柄部を把持する片手だけで汁排出口の開閉操作を行うことができ、汁の量を容易に調節することができるようになる。
【発明を実施するための最良の形態】
【００１４】
以下に、本発明に係る即席麺用容器の具体的な構成について図面を参照しながら説明する。
【００１５】
図１に示すように、即席麺用容器１は、上部を開口した中空円筒状の容器本体２と、容器本体２の開口縁部に貼着した円形シート状の蓋体３とで密閉可能に形成するとともに、容器本体２の内部に麺掬い４と即席麺５とを収容している。
【００１６】
麺掬い４は、図２〜図５に示すように、即席麺５を食するときに麺や具を掬うために使用されるものであり、麺や具を掬う椀部６と使用者が把持する柄部７とで構成している。
【００１７】
椀部６は、柄部７の下端に形成されており、円筒状の周壁８の下端部に円形状の上下一対の底壁9,10を上下に間隔をあけて取付けるとともに、上下の底壁9,10の間に横長状の可動底壁11を上下の底壁9,10に沿って摺動自在に収容している。
【００１８】
また、椀部６は、上下の底壁9,10と可動底壁11とに上下に貫通する汁排出口12,13,14をそれぞれ形成しており、後述するように、上下の底壁9,10と可動底壁11とに形成した汁排出口12,13,14を貫通させた状態（図４参照。）から可動底壁11を移動させることによって上下の底壁9,10に形成した汁排出口12,13を可動底壁11で閉塞することができ、これにより、椀部６は、汁排出口12,13,14を開閉可能に構成している。
【００１９】
さらに、椀部６は、可動底壁11の端部を上方に向けて折曲して爪片15を形成し、この爪片15と周壁８との間に柄部７の下端を取付けている。
【００２０】
柄部７は、４枚の縦長矩形板状の柄板16,17,18,19の左右側縁を可動可能（折曲可能）に接続している。
【００２１】
これにより、柄部７は、図４及び図５に示すように、平面視で縦長の菱形から横長の菱形に概略パンタグラフ状に変形可能となっている。
【００２２】
また、柄部７は、前側の柄板16,17の下端部内側側縁を椀部６の周壁８の外側に可動可能（折曲可能）に接続するとともに、後側の柄板18,19の下端部内側側縁を椀部６の爪片15の内側に可動可能（折曲可能）に接続している。
【００２３】
これにより、柄部７は、図４及び図５に示すように、平面視で縦長の菱形から横長の菱形に変形することによって、可動底壁11を上下の底壁9,10に沿って摺動させることができるようになっている。
【００２４】
さらに、柄部７は、４枚の柄板16,17,18,19によって平面視で菱形状に形成される内側中空部に縦長矩形板状のストッパー20を収容している。
【００２５】
これにより、柄部７は、図４及び図５に示すように、平面視で縦長の菱形から横長の菱形に変形する際に、ストッパー20によって柄部７の変形が阻止され、可動底壁11の摺動を停止できるようになっている。
【００２６】
このように、麺掬い４は、図４に示すように、柄部７を平面視で縦長の菱形にした状態では、上下の底壁9,10と可動底壁11とに形成した汁排出口12,13,14が貫通し、これにより、椀部６の内側から汁だけを下方に排出することができ、柄部７を平面視で縦長の菱形から横長の菱形に変形することで、図５に示すように、可動底壁11が上下の底壁9,10に沿って摺動して上下の底壁9,10に形成した汁排出口12,13を閉塞し、これにより、椀部６の内側に汁を溜めることができる。
【００２７】
以上に説明したように、上記した即席麺５を収容する容器本体２と蓋体３とからなる即席麺用容器１は、容器本体２の内部に麺を掬うための麺掬い４を収容している。
【００２８】
これにより、上記即席麺用容器１では、即席麺５を食するときに麺掬い４を直ちに使用することができるようになっている。
【００２９】
そして、麺掬い４は、柄部７の下端に椀部６を形成するとともに、椀部６に貫通状の汁排出口12,13,14を形成している。
【００３０】
そのため、上記即席麺用容器１では、即席麺５を食した際に容器本体２の底部に残る細かな麺や具だけを麺掬い４で掬い取ることができ、汁を除いて細かい麺や具だけを容易に食することができる。
【００３１】
また、上記即席麺用容器１は、麺掬い４の椀部６の汁排出口12,13,14を開閉可能に構成している。
【００３２】
そのため、上記即席麺用容器１では、好みに応じて汁排出口12,13,14を開閉することで麺掬い４の椀部６に溜める汁の量を調節することができる。
【００３３】
さらに、上記即席麺用容器１は、麺掬い４の柄部７を変形可能に形成するとともに、柄部７の変形によって椀部６の汁排出口12,13,14を開閉可能に構成している。
【００３４】
そのため、上記即席麺用容器１では、柄部７を把持する片手だけで汁排出口12,13,14の開閉操作を行うことができ、麺掬い４の椀部６に溜める汁の量を容易に調節することができる。
【図面の簡単な説明】
【００３５】
【図１】即席麺用容器の側面断面図。
【図２】麺掬いの側面拡大図。
【図３】同側面拡大断面図。
【図４】同平面拡大図（汁排出口を貫通させた状態）。
【図５】同平面拡大図（汁排出口を閉塞させた状態）。
【符号の説明】
【００３６】
１  即席麺用容器
２  容器本体
３  蓋体
４  麺掬い
５  即席麺
６  椀部
７  柄部
８  周壁
9,10  底壁
11  可動底壁
12,13,14  汁排出口
15  爪片
16,17,18,19  柄板
20  ストッパー
【要約】
【課題】即席麺を食した際に容器の底部に残る細かな麺や具を容易に掬いだすことができるようにすること。
【解決手段】本発明では、即席麺を収容する容器本体と蓋体とからなる即席麺用容器において、容器本体の内部に麺を掬うための麺掬いを収容し、麺掬いは、柄部の下端に椀部を形成するとともに、椀部に貫通状の汁排出口を形成することにした。また、前記麺掬いは、椀部の汁排出口を開閉可能に構成することにした。さらに、前記麺掬いは、柄部を変形可能に形成するとともに、柄部の変形によって椀部の汁排出口を開閉可能に構成することにした。
【選択図】図１【図１】
0004173190.tif 000002
【図２】
0004173190.tif 000003
【図３】
0004173190.tif 000004
【図４】
0004173190.tif 000005
【図５】
0004173190.tif 000006